(57)【要約】      （修正有）【課題】あるナビゲーション装置等の情報処理装置が、他の情報処理装置で使用された情報を効率良く取得し、有効に利用することを可能とした情報提供方法等を提供する。【解決手段】ブログサーバＢＳは、ユーザＵ１のナビゲーション装置Ｎ１において使用されたスポット情報をプローブサーバＰＳ経由で取得し、スポット情報に基づく記事に関する情報をブログデータベース２０１に記憶しておき、ユーザ端末ＵＴ２からの要求に応じて上記記事に関する情報に基づいてユーザＵ１のブログページを構成する表示用データを作成し、作成した表示用データをユーザ端末ＵＴ２に対して提供し、ユーザ端末ＵＴ２から要求があった場合に記事の基になったスポット情報の全部又は一部が含まれるスポット情報のファイルであって、ユーザＵ２のナビゲーション装置Ｎ２におけるナビゲーション処理で使用可能なスポット情報のファイルを作成し、ユーザ端末ＵＴ２に対して提供する。【選択図】図１
2008225889.tif 000002
【特許請求の範囲】
【請求項１】
ユーザの操作指示にしたがって所定の情報処理を行う複数の情報処理装置と、ユーザの記事を含む表示用データをネットワークを介して接続された端末装置に提供する情報提供装置と、を備える情報提供システムにおいて、
前記情報提供装置は、
第１の前記情報処理装置における前記情報処理で使用された所要情報を取得する所要情報取得手段と、
前記取得された所要情報に基づく記事に関する情報を、ユーザ毎に判別可能に記憶する記事情報記憶手段と、
前記記憶された、前記所要情報に基づく記事に関する情報に基づいて前記表示用データを作成し、当該作成した表示用データを、前記ネットワークを介して接続された端末装置に対して提供する表示用データ提供手段と、
前記表示用データが提供された前記端末装置から前記ネットワークを介して要求があった場合に、当該表示用データに含まれる記事の基になった所要情報の全部又は一部を、第２の情報処理装置における前記情報処理で使用可能な所要情報として当該端末装置又は当該第２の情報処理装置に対して前記ネットワークを介して提供する所要情報提供手段と、
を備え、
第２の前記情報処理装置は、
前記表示用データに含まれる記事の基になった所要情報の全部又は一部を取得する所要情報取得手段と、
前記取得された所要情報を使用して前記情報処理を行う処理手段と、
を備えることを特徴とする情報提供システム。
【請求項２】
請求項１に記載の情報提供システムにおいて、
前記情報処理装置は、移動体に設けられたナビゲーション装置に含まれ、
前記所要情報は、当該ナビゲーション装置におけるナビゲーション処理で使用された地点情報であることを特徴とする情報提供システム。
【請求項３】
ユーザの記事を含む表示用データをネットワークを介して接続された端末装置に提供する情報提供装置において、
ユーザの操作指示にしたがって所定の情報処理を行う第１の情報処理装置における当該情報処理で使用された所要情報を取得する所要情報取得手段と、
前記取得された所要情報に基づく記事に関する情報を、ユーザ毎に判別可能に記憶する記事情報記憶手段と、
前記記憶された、前記所要情報に基づく記事に関する情報に基づいて前記表示用データを作成し、当該作成した表示用データを、前記ネットワークを介して接続された端末装置に対して提供する表示用データ提供手段と、
前記表示用データが提供された前記端末装置から前記ネットワークを介して要求があった場合に、当該表示用データに含まれる記事の基になった所要情報の全部又は一部を、第２の情報処理装置における前記情報処理で使用可能な所要情報として当該端末装置又は当該第２の情報処理装置に対して前記ネットワークを介して提供する所要情報提供手段と、
を備えることを特徴とする情報提供装置。
【請求項４】
請求項３に記載の情報提供装置において、
前記情報処理装置は、移動体に設けられたナビゲーション装置に含まれ、
前記所要情報は、当該ナビゲーション装置におけるナビゲーション処理で使用された地点情報であることを特徴とする情報提供装置。
【請求項５】
請求項３又は４に記載の情報提供装置において、
前記ネットワークを介して接続された端末装置から送信された、当該端末装置のユーザに対応する前記所要情報に追加される追加情報を受信する追加情報受信手段を更に備え、
前記記事情報記憶手段は、前記所要情報及びこれに追加される前記追加情報に基づく記事に関する情報を記憶し、
前記表示用データ提供手段は、前記記憶された、前記所要情報及びこれに追加される前記追加情報に基づく記事に関する情報に基づいて前記表示用データを作成し、当該作成した表示用データを、前記ネットワークを介して接続された他の端末装置に対して提供することを特徴とする情報提供装置。
【請求項６】
請求項５に記載の情報提供装置において、
前記所要情報提供手段は、前記表示用データが提供された前記他の端末装置から前記ネットワークを介して要求があった場合に、当該表示用データに含まれる記事の基になった所要情報及び前記追加情報の全部又は一部を、前記第２の情報処理装置における前記情報処理で使用可能な所要情報及び追加情報として当該他の端末装置又は当該第２の情報処理装置に対して前記ネットワークを介して提供することを特徴とする情報提供装置。
【請求項７】
請求項３ないし６の何れか一項に記載の情報提供装置において、
前記記事は、複数の前記所要情報に基づくものであり、夫々の前記所要情報には、前記情報処理で使用される際の順序が割り当てられており、
前記所要情報提供手段は、前記表示用データが提供された前記端末装置から前記ネットワークを介して要求があった場合に、当該表示用データに含まれる記事の基になった所要情報の全部又は一部、及び前記順序を示す順序情報を、前記第２の情報処理装置における前記情報処理で使用可能な所要情報及び順序情報として当該端末装置又は当該第２の情報処理装置に対して前記ネットワークを介して提供することを特徴とする情報提供装置。
【請求項８】
請求項３ないし７の何れか一項に記載の情報提供装置において、
前記ネットワークを介して接続された端末装置から送信された、前記記事又は前記所要情報を検索するための検索条件を示す検索情報を受信する検索情報受信手段と、
前記記憶された所要情報に基づく記事に関する情報を参照して、前記受信された検索情報に示された検索条件を満たす記事又は所要情報を検索する検索手段と、
前記検索された記事又は所要情報を示す検索結果情報を、前記検索情報を送信した端末装置に対して提供する検索結果情報提供手段と、
を更に備えることを特徴とする情報提供装置。
【請求項９】
請求項３ないし７の何れか一項に記載に記載の情報提供装置から提供された、前記表示用データに含まれる記事の基になった所要情報の全部又は一部を取得する情報処理装置であって、
前記取得された所要情報を使用して前記情報処理を行う処理手段を備えることを特徴とする情報処理装置。
【請求項１０】
請求項９に記載の情報処理装置において、
当該情報処理装置は、移動体に設けられたナビゲーション装置に含まれ、
前記所要情報は、他のナビゲーション装置におけるナビゲーション処理で使用された地点情報であって、
前記処理手段は、前記取得された地点情報を使用してナビゲーション処理を行うことを特徴とする情報処理装置。
【請求項１１】
ユーザの記事を含む表示用データをネットワークを介して接続された端末装置に提供する情報提供装置における情報提供方法であって、
前記情報提供装置は、
ユーザの操作指示にしたがって所定の情報処理を行う第１の情報処理装置における当該情報処理で使用された所要情報を取得する工程と、
前記取得された所要情報に基づく記事に関する情報を、ユーザ毎に判別可能に記憶する工程と、
前記記憶された、前記所要情報に基づく記事に関する情報に基づいて前記表示用データを作成し、当該作成した表示用データを、前記ネットワークを介して接続された端末装置に対して提供する工程と、
前記表示用データが提供された前記端末装置から前記ネットワークを介して要求があった場合に、当該表示用データに含まれる記事の基になった所要情報の全部又は一部を、第２の情報処理装置における前記情報処理で使用可能な所要情報として当該端末装置又は当該第２の情報処理装置に対して前記ネットワークを介して提供する工程と、
を備えることを特徴とする情報提供方法。
【請求項１２】
ユーザの記事を含む表示用データをネットワークを介して接続された端末装置に提供するコンピュータを、
ユーザの操作指示にしたがって所定の情報処理を行う第１の情報処理装置における当該情報処理で使用された所要情報を取得する所要情報取得手段、
前記取得された所要情報に基づく記事に関する情報を、ユーザ毎に判別可能に記憶する記事情報記憶手段、
前記記憶された、前記所要情報に基づく記事に関する情報に基づいて前記表示用データを作成し、当該作成した表示用データを、前記ネットワークを介して接続された端末装置に対して提供する表示用データ提供手段、及び、
前記表示用データが提供された前記端末装置から前記ネットワークを介して要求があった場合に、当該表示用データに含まれる記事の基になった所要情報の全部又は一部を、第２の情報処理装置における前記情報処理で使用可能な所要情報として当該端末装置又は当該第２の情報処理装置に対して前記ネットワークを介して提供する所要情報提供手段として機能させることを特徴とする情報提供処理プログラム。
【請求項１３】
請求項１２に記載の情報提供処理プログラムをコンピュータ読み取り可能に記録したことを特徴とする記録媒体。
【発明の詳細な説明】
【技術分野】
【０００１】
本発明は、ユーザの操作指示にしたがって所定の情報処理を行う複数の情報処理装置と、ユーザの記事を含む表示用データをネットワークを介して接続された端末装置に提供する情報提供装置と、を備える情報提供システム等の技術分野に関する。
【背景技術】
【０００２】
従来から、車両に搭載されたナビゲーション装置においては、予め記憶された地図データばかりでなく、外部機器から提供された情報（例えばＶＩＣＳ（Vehicle Information and Communication System）等のシステムからの道路交通情報）を取得しこれを経路案内処理等で使用することが可能になっている。
【０００３】
また、例えば特許文献１には、通信回線を介してデータの送受を行うサーバと車両端末とからなる道路状況データ提供システムが開示されており、当該システムによれば、サーバに対する車両端末からの、所定地点又はその所定範囲内を指定した道路状況データに依頼に基づき、当該サーバが所定地点及び該所定地点を中心とした所定の範囲内を通過予測車両台数を演算して、依頼先の車両端末に道路状況データを送信するようになっている。
【特許文献１】特開2003-139550号公報
【発明の開示】
【発明が解決しようとする課題】
【０００４】
このように、従来のナビゲーション装置においては、外部機器から提供された道路状況等の道路交通情報を取得しこれを使用可能になっているが、例えばある車両に搭載されたナビゲーション装置が、当該車両の走行過程等で使用した地点情報等の有益な情報を、他のナビゲーション装置が効率良く取得して利用することは困難であった。
【０００５】
このことは、ナビゲーション装置ばかりでなく、例えば家庭用の電子機器等の情報処理装置についても同様のことが言える。
【０００６】
そこで、本願は、このような問題の解消を課題の一例とし、あるナビゲーション装置等の情報処理装置が、他の情報処理装置で使用された情報をより効率良く取得し、有効に利用することを可能とした情報提供装置及び情報提供方法等を提供することを目的とする。
【課題を解決するための手段】
【０００７】
上記課題を解決するため、請求項１に記載の発明は、ユーザの操作指示にしたがって所定の情報処理を行う複数の情報処理装置と、ユーザの記事を含む表示用データをネットワークを介して接続された端末装置に提供する情報提供装置と、を備える情報提供システムにおいて、前記情報提供装置は、第１の前記情報処理装置における前記情報処理で使用された所要情報を取得する所要情報取得手段と、前記取得された所要情報に基づく記事に関する情報を、ユーザ毎に判別可能に記憶する記事情報記憶手段と、前記記憶された、前記所要情報に基づく記事に関する情報に基づいて前記表示用データを作成し、当該作成した表示用データを、前記ネットワークを介して接続された端末装置に対して提供する表示用データ提供手段と、前記表示用データが提供された前記端末装置から前記ネットワークを介して要求があった場合に、当該表示用データに含まれる記事の基になった所要情報の全部又は一部を、第２の情報処理装置における前記情報処理で使用可能な所要情報として当該端末装置又は当該第２の情報処理装置に対して前記ネットワークを介して提供する所要情報提供手段と、を備え、第２の前記情報処理装置は、前記表示用データに含まれる記事の基になった所要情報の全部又は一部を取得する所要情報取得手段と、前記取得された所要情報を使用して前記情報処理を行う処理手段と、を備えることを特徴とする。
【０００８】
請求項３に記載の発明は、ユーザの記事を含む表示用データをネットワークを介して接続された端末装置に提供する情報提供装置において、ユーザの操作指示にしたがって所定の情報処理を行う第１の情報処理装置における当該情報処理で使用された所要情報を取得する所要情報取得手段と、前記取得された所要情報に基づく記事に関する情報を、ユーザ毎に判別可能に記憶する記事情報記憶手段と、前記記憶された、前記所要情報に基づく記事に関する情報に基づいて前記表示用データを作成し、当該作成した表示用データを、前記ネットワークを介して接続された端末装置に対して提供する表示用データ提供手段と、前記表示用データが提供された前記端末装置から前記ネットワークを介して要求があった場合に、当該表示用データに含まれる記事の基になった所要情報の全部又は一部を、第２の情報処理装置における前記情報処理で使用可能な所要情報として当該端末装置又は当該第２の情報処理装置に対して前記ネットワークを介して提供する所要情報提供手段と、を備えることを特徴とする。
【０００９】
請求項１１に記載の発明は、ユーザの記事を含む表示用データをネットワークを介して接続された端末装置に提供する情報提供装置における情報提供方法であって、前記情報提供装置は、ユーザの操作指示にしたがって所定の情報処理を行う第１の情報処理装置における当該情報処理で使用された所要情報を取得する工程と、前記取得された所要情報に基づく記事に関する情報を、ユーザ毎に判別可能に記憶する工程と、前記記憶された、前記所要情報に基づく記事に関する情報に基づいて前記表示用データを作成し、当該作成した表示用データを、前記ネットワークを介して接続された端末装置に対して提供する工程と、前記表示用データが提供された前記端末装置から前記ネットワークを介して要求があった場合に、当該表示用データに含まれる記事の基になった所要情報の全部又は一部を、第２の情報処理装置における前記情報処理で使用可能な所要情報として当該端末装置又は当該第２の情報処理装置に対して前記ネットワークを介して提供する工程と、を備えることを特徴とする。
【００１０】
請求項１２に記載の情報提供処理プログラムの発明は、ユーザの記事を含む表示用データをネットワークを介して接続された端末装置に提供するコンピュータを、ユーザの操作指示にしたがって所定の情報処理を行う第１の情報処理装置における当該情報処理で使用された所要情報を取得する所要情報取得手段、前記取得された所要情報に基づく記事に関する情報を、ユーザ毎に判別可能に記憶する記事情報記憶手段、前記記憶された、前記所要情報に基づく記事に関する情報に基づいて前記表示用データを作成し、当該作成した表示用データを、前記ネットワークを介して接続された端末装置に対して提供する表示用データ提供手段、及び、前記表示用データが提供された前記端末装置から前記ネットワークを介して要求があった場合に、当該表示用データに含まれる記事の基になった所要情報の全部又は一部を、第２の情報処理装置における前記情報処理で使用可能な所要情報として当該端末装置又は当該第２の情報処理装置に対して前記ネットワークを介して提供する所要情報提供手段として機能させることを特徴とする。
【発明を実施するための最良の形態】
【００１１】
以下に本願の最適な実施の形態について、図面に基づいて説明する。
【００１２】
［１．情報提供システムＳの構成等］
先ず、図１を参照して、本願の一実施形態に係る情報提供システムの構成について説明する。
【００１３】
図１は、本実施形態に係る情報提供システムの概要構成例を示す図である。
【００１４】
図１に示すように、本実施形態に係る情報提供システムＳは、移動体の一例としての車両等に設けられた（搭載された）ナビゲーション装置Ｎｎ（ｎ＝１，２・・・ｊ）、通信端末ＣＴｎ（ｎ＝１，２・・・ｊ）、端末装置の一例としてのパーソナルコンピュータ（以下、「ユーザ端末」という）ＵＴｎ（ｎ＝１，２・・・ｊ）、プローブサーバＰＳ、及び情報提供装置の一例としてのブログサーバＢＳ等を備えて構成されている。なお、ナビゲーション装置Ｎｎは、ユーザの操作指示にしたがって所定の情報処理を行う情報処理装置の一例である。
【００１５】
また、ナビゲーション装置Ｎｎ、通信端末ＣＴｎ及びユーザ端末ＵＴｎは、ユーザＵｎ（ｎ＝１，２・・・ｊ）毎に存在しており、例えば、ナビゲーション装置Ｎ１、通信端末ＣＴ１及びユーザ端末ＵＴ１はユーザＵ１により使用され、ナビゲーション装置Ｎ２、通信端末ＣＴ２及びユーザ端末ＵＴ２はユーザＵ２により使用される。通信端末ＣＴｎ及びユーザ端末ＵＴｎは、例えば各ユーザの自宅に設置される。
【００１６】
また、通信端末ＣＴｎとユーザ端末ＵＴｎとは専用通信ケーブル（例えばＵＳＢケーブル）Ｋｎ（ｎ＝１，２・・・ｊ）を介して相互に通信可能になっている。なお、通信端末ＣＴｎとユーザ端末ＵＴｎの双方に無線通信機能（例えば、Bluetooth又は無線ＬＡＮによる）を持たせて無線通信が行われるように構成しても良い。
【００１７】
また、通信端末ＣＴｎとプローブサーバＰＳとは専用通信回線Ｃｎ（ｎ＝１，２・・・ｊ）を介して相互に通信可能になっており、プローブサーバＰＳとブログサーバＢＳとは専用通信回線ＣＺを介して相互に通信可能になっている。なお、専用通信回線Ｃｎ及び専用通信回線ＣＺには、インターネットや移動体通信網（基地局、ゲートウェイ等を含む）を利用しても構わない。
【００１８】
また、ブログサーバＢＳは、インターネット等により構築されるネットワークＮＷに接続されている。そして、ユーザ端末ＵＴｎには、Ｗｅｂブラウザ（ソフト）がインストールされており、当該ブラウザにより所定のＵＲＬ（Uniform Resource Locator）を指定することで、ユーザ端末ＵＴｎがネットワークＮＷを介してブログサーバＢＳに接続し、Ｗｅｂページ（例えば、ブログ（Weblog）ページ等）の提供を受け、これをディスプレイ上に表示するようになっている。
【００１９】
［１−１．ナビゲーション装置Ｎｎの構成及び機能等］
ここで、図２を参照して、ナビゲーション装置Ｎｎの構成及び機能を詳しく説明する。
【００２０】
図２は、本実施形態に係るナビゲーション装置Ｎｎの概要構成例を示す図である。
【００２１】
ナビゲーション装置Ｎｎは、図２に示すように、ＧＰＳ（Global Positioning System）受信部１１、センサ部１２、交通情報受信部１３、情報記憶部１４、表示部１５、音声出力部１６、操作部１７、及びシステム制御部１８等を備えて構成され、ユーザＵｎの操作指示にしたがってナビゲーション処理（例えば、出発地点から、設定された目的地点までの推奨経路を探索する経路探索処理や、探索された経路を案内する経路案内処理、或いは、設定された地点の周辺地図を表示する地点表示処理等）を行うようになっている。
【００２２】
ＧＰＳ受信部１１は、衛星軌道上に配置され地球を周回するＧＰＳ衛星から出力される航法電波を、図示しないアンテナを介して受信し、受信した信号に基づいて現在位置（経度及び緯度）を検出し、ＧＰＳデータとしてシステム制御部１８へ出力する。
【００２３】
センサ部１２は、例えば、車速パルスに基づき車両の速度を検出する速度センサ、地磁気を利用して車両の走行方位を検出する方位センサ（ジャイロセンサ）、車両の加速度を検出する加速度センサ、車両の走行距離を検出する距離センサ等を備えており、これらのセンサによって検出された各データ（速度データ、方位データ、加速度データ、走行距離データ等）を、システム制御部１８へ出力する。
【００２４】
これらの速度データ及び方位データ等は、公知の如く、システム制御部１８における、現在位置を補正する処理等に用いられる。
【００２５】
交通情報受信部１３は、例えばＶＩＣＳ受信機を有しており、ＦＭ多重放送、道路（主要幹線道路や高速道路）上に設置された光（赤外線）ビーコン、電波（準マイクロ波）ビーコン等から発信された道路交通情報（例えば、渋滞情報）を受信し、システム制御部１８へ出力する。
【００２６】
情報記憶部１４は、例えば、ＣＤ（Compact Disc）ドライブ、ＤＶＤ（Digital Versatile Disc）ドライブ、及びＨＤ（Hard Disk）ドライブ等を備えており、システム制御部１８の制御の下、各ドライブが、ＣＤ−ＲＯＭ、ＤＶＤ−ＲＯＭ、又はＨＤ等の記録媒体からのデータ及びプログラムの読み出し及び当該記録媒体への書き込みを行うようになっている。
【００２７】
また、情報記憶部１４に含まれるＨＤ（Hard Disk）ドライブのユニットはナビゲーション装置Ｎｎから着脱可能になっており、通信端末ＣＴｎに装着することが可能になっている。
【００２８】
ここで、ＨＤ等に記憶されたデータには、例えば、地図データ、リンクデータ、ノードデータ、案内データ、及び履歴データ、更には、利用者に対し入力指示や選択指示を促すためのデータ（例えば、メニューデータ）等が含まれている。
【００２９】
上記地図データは、表示部１５における画面上に地図を表示するための地図画像データ、各地点の位置データ（例えば、緯度及び経度、並びに当該経度及び緯度に対応する地図上における座標（X,Y））を示すデータ）、地図上における行政区画の境界を示す行政界データ（各行政区画に対応する住所を含む）、地図上における道路を示す道路データ（各道路名、各交差点名、及び各合流点（ジャンクション）名等を含む）、地図上における平面区画（例えば、施設、建物、駐車場等が設置される区画）を示す家形データ（各家形に対応する住所、郵便番号、及び電話番号等を含む）、及び河川や山岳の平面図等の形状を示す形状データ（河川や山岳の名称等を含む）等を含んでいる。なお、地図上における施設、建物等の外観画像が家形データに含まれるように構成しても良い。
【００３０】
また、上記道路データにて示される道路は、複数の線分としてのリンクから構成され、少なくとも２つのリンクは、１つのノードで接続される。このノードは、例えば、各道路の交差点、屈曲点、分岐点、合流点（ジャンクション）、又は有料道路のインターチェン等の接点（結節点）を含む接続部分に対応する。
【００３１】
また、上記リンクデータは、上記各リンク毎に、リンクのリンクＩＤ、当該リンクが接続される２つのノードのノードＩＤ、当該リンクに対応する道路の距離（道路区間の距離）、属性、及び方位等の情報を有している（これらの情報は、各リンク毎に対応付けられている）。なお、道路の属性には、例えば、道路の幅員、道路の車線数、一方通行と双方通行の別、右左折レーンの有無等の情報が該当する。
【００３２】
更に、各リンクには、そのリンクに対応する道路の距離や道路の属性等が考慮された重みづけとしてのリンクコストが設定される。例えば、道路の距離が短い場合や、道路の幅員が広い場合には、当該区間の走行に要する時間は短くなるので、リンクコストが小さく設定される。また、リンクコストは、交通情報受信部１３により得られた渋滞等の交通状況により変化する（例えば、渋滞の場合、そのリンクに対応するリンクコストが小さく設定される）ようになっている。
【００３３】
また、上記ノードデータは、上記各ノード毎に、ノードのノードＩＤ、当該ノードの座標（緯度及び経度に対応する地図上における座標（X,Y））、及び当該ノードに接続されるリンクのリンクＩＤ等の情報を有している。また、各ノードには、１のリンクに対応する道路からそのノードに対応する接続部分を介して他のリンクに対応する道路への車両の移動（直進、右左折等）の困難さをあらわす重みづけとしてのノードコストが設定されている。
【００３４】
これらのリンクデータ及びノードデータは、公知の如く、システム制御部１８における、目的地点までの推奨経路の探索処理の際等に用いられる。
【００３５】
また、上記案内データには、車両走行時の案内処理等に用いられる画像データ、文字データ、及び音声データ等が含まれる。
【００３６】
そして、上記履歴データには、ナビゲーション処理で使用された地点情報（所要情報の一例、以下、「スポット情報」という）が含まれる。かかるスポット情報には、例えば、車両が走行した（辿った）軌跡（例えば、経度及び緯度で特定される）上（又はその近傍）における主要地点の位置（位置データ）、及び名称等の情報が含まれる（この場合、主要地点の住所を含めても良い）。なお、スポット情報には、車両が走行した（辿った）軌跡（例えば、経度及び緯度で特定される）に関する軌跡データ（複数の地点を連続的に集合させたデータ）が含まれるものであってもよい（この場合、渋滞情報を含めても良い）。
【００３７】
ここで、主要地点としては、例えば、レストラン、美術館、ドライブイン、ガソリンスタンド、又はホテル等の施設や建物が設置される地点、駐車場がある地点、有料道路のインターチェンジ、交差点、又は分岐点がある地点、更には観光名所がある地点等が該当し、主要地点の名称としては、これらの施設や建物の名称、駐車場の名称、有料道路のインターチェンジ等の名称、及び観光名所の名称等が該当する（なお、地図データに施設や建物の名称等が登録されていない場合、当該主要地点の住所を当該主要地点の名称としても良いし、或いは、当該主要地点の名称がユーザにより操作部１７を操作して入力されるようにしても良い）。
【００３８】
また、主要地点は、目的地点、経由地点（出発地点から目的地点までの途中の地点であってユーザＵｎにより操作部１７を介して指定される）、又はユーザＵｎにより操作部１７を介して指定された任意の地点であるかどうかにより決定される。また、ナビゲーション装置Ｎｎにより駐車場の地点が検出された場合（例えば、地図上における道路から外れた地点に車両が一定時間（例えば、５分以上）停車したことを検出した場合、或いはユーザＵｎにより操作部１７を介して駐車場が指定されたことを検出した場合）には、当該駐車場の地点が主要地点として決定される。
【００３９】
なお、主要地点は、実際に車両が通過した地点であることに限定されるものではない。
【００４０】
また、地図データに施設、建物等の外観画像が含まれていれば、上記スポット情報に含まれることになる。
【００４１】
表示部１５は、例えば、描画処理部、バッファメモリ及びディスプレイ（例えば、液晶ディスプレイ、又は有機ＥＬディスプレイ等）等を備えており、描画処理部が、システム制御部１８の制御の下、上記地図データ等をバッファメモリに展開、描画した後、ディスプレイにおける画面上に表示する。また、当該画面には、システム制御部１８の制御の下、利用者に対し各種指示を促すための例えばメニューも表示される。
【００４２】
音声出力部１６は、例えば、ＤＡＣ（デジタル／アナログ信号変換器）、アンプ、スピーカ等を備えており、システム制御部１８から出力された車両走行時の案内等に係る音声データをＤＡＣによりＤ／Ａ変換した後、アンプにより増幅してスピーカから音波として出力する。
【００４３】
操作部１７は、利用者からの各種指示等を受け付けるための複数の操作ボタンを有しており、ユーザＵｎにより押下された操作ボタンに対応する指示信号をシステム制御部１８へ出力するようになっている。なお、操作部１７は、各種操作ボタンが設けられたリモコン（図示せず）との間で赤外線通信を行い、当該リモコンからの指示信号を受信してシステム制御部１８へ出力するものであっても良い。
【００４４】
システム制御部１８は、演算機能を有するＣＰＵ，作業用ＲＡＭ，各種データやプログラムを記憶するＲＯＭ等を備えており、システム制御部１８のＣＰＵが、例えば情報記憶部１４に記憶されたプログラムを読み出し実行することにより、当該ナビゲーション装置Ｓにおける構成要素全体を統括制御し、ナビゲーション処理を行うようになっている。
【００４５】
また、所要情報取得手段の一例としてのシステム制御部１８は、他のナビゲーション装置Ｎｎにおけるナビゲーション処理で使用されたスポット情報であって、ブログページを構成する表示用データに含まれる記事（つまり、ブログページ上に掲載される記事）の基になったスポット情報（又は、スポット情報及び当該スポット情報に追加される追加情報）（スポット情報のファイル）を、例えばユーザ端末ＵＴｎから通信端末ＣＴｎを通じて取得するようになっている（詳細は後述）。
【００４６】
そして、処理手段の一例としてのシステム制御部１８は、当該取得したスポット情報又は／及び追加情報を使用してナビゲーション処理を行うようになっている。例えば、システム制御部１８は、スポット情報の一覧をユーザＵｎにより選択可能に表示し、当該ユーザＵｎが操作部１７を操作して所望のスポット情報を選択した場合には、当該スポット情報に係る主要地点を目的地点として設定し当該地点までの経路を探索する経路探索処理を行ったり、或いは、当該主要地点の周辺地図を表示する地点表示処理等を実行する。
【００４７】
［１−２．通信端末ＣＴｎの構成及び機能等］
次に、通信端末ＣＴｎの構成及び機能等を説明する。
【００４８】
通信端末ＣＴｎには、上述したように、情報記憶部１４に含まれるＨＤドライブのユニットが装着可能になっており、通信端末ＣＴｎの制御部（図示せず）が、当該ＨＤドライブのユニットの装着を検出すると、当該制御部は、予めメモリに記憶されたプローブサーバＰＳのアドレス情報にしたがって専用通信回線Ｃｎを介してプローブサーバＰＳに接続し、上記装着されたＨＤドライブのユニットにおけるＨＤに記憶された上記スポット情報と、予めメモリに記憶されたユーザＩＤ（ユーザＵｎ毎に固有の識別情報）と、を含むプローブデータを当該プローブサーバＰＳに送信するようになっている。
【００４９】
なお、プローブデータがプローブサーバＰＳに送信されるタイミングは、任意に設定可能であり、また、通信端末ＣＴｎはプローブサーバＰＳの要求に応じて当該プローブデータを送信するように構成しても良い。
【００５０】
［１−３．プローブサーバＰＳの構成及び機能等］
次に、プローブサーバＰＳの構成及び機能等を説明する。
【００５１】
プローブサーバＰＳは、図示しないが、例えばＨＤドライブ等を備えた記憶部、通信端末ＣＴｎ及びブログサーバＢＳと通信を行うための通信部、及びＣＰＵ，作業用ＲＡＭ，各種データやプログラムを記憶するＲＯＭ等を備えた制御部等を有するサーバコンピュータからなり、記憶部におけるＨＤにはプローブデータベース（プローブＤＢ）１００が構築されている。そして、プローブサーバＰＳは、通信端末ＣＴｎから送信されてきたプローブデータを通信部を介して受信すると、当該プローブデータをプローブデータベース１００に登録（記憶）するようになっている。このとき、例えば各スポット情報に対してスポットＩＤ（スポット情報毎に固有の識別情報）を付与する。このように、プローブサーバＰＳは、夫々のユーザＵｎの通信端末ＣＴｎから受信したプローブデータをユーザＵｎ毎に判別可能（ユーザＩＤにより）にプローブデータベース１００に登録するようになっており、登録されたプローブデータを通信部及び専用通信回線ＣＺを介してブログサーバＢＳに送信（転送）する。
【００５２】
［１−４．ブログサーバＢＳの構成及び機能等］
次に、図３等を参照して、ブログサーバＢＳの構成及び機能等について詳しく説明する。
【００５３】
図３は、本実施形態に係るブログサーバＢＳの概要構成例を示す図である。
【００５４】
ブログサーバＢＳは、図３に示すように、例えばＨＤドライブ等を備えた記憶部２１、ユーザ端末ＵＴｎ及びプローブサーバＰＳと通信を行うための通信部２２、及びＣＰＵ，作業用ＲＡＭ，各種データやプログラムを記憶するＲＯＭ等を備えた制御部２３等を有するサーバコンピュータからなり、プローブサーバＰＳからのプローブデータを受信（つまり、各ナビゲーション装置Ｎｎにおけるナビゲーション処理で使用されたスポット情報を取得）して記憶部２１に記憶するサーバとして機能すると共に、ネットワークＮＷを介して接続してきたユーザ端末ＵＴｎからの要求に応じてＷｅｂページを提供するＷｅｂサーバ（例えば、ＣＧＩ（Common Gateway Interface）機能を有する）として機能（例えばＨＴＴＰ（Hyper Text Transfer Protocol）プロトコルに基づく）するようになっている。
【００５５】
ここで、Ｗｅｂページとしては、ユーザＵｎにより書き込まれる記事を掲載するブログページ（ブログ画面）、記事やスポット情報等を検索するための検索ページ（検索画面）、及び記事を作成する（ユーザが記事を書き込む）ための記事作成ページ（記事作成画面）等がある。また、かかるＷｅｂページは、例えばＨＴＭＬ（Hyper Text Markup language）データ及び画像データ等の表示用データから構成されるものであり、記憶部２１に記憶されている。
【００５６】
また、記憶部２１には、所定のオペレーティングシステムの他、本願の情報提供処理プログラム等を含む種々のプログラムが記憶されており、制御部２３は当該プログラムを読み込み実行することにより、本願の所要情報取得手段、表示用データ提供手段、所要情報提供手段、追加情報受信手段、検索情報受信手段、検索手段、及び検索結果情報提供手段等として機能するようになっている。
【００５７】
更に、記憶部２１には、プローブデータベース（プローブＤＢ）２００及びブログデータベース（ブログＤＢ）２０１が構築されている。
【００５８】
プローブデータベース２００には、図３に示すように、ユーザＩＤと、スポット情報（例えば、主要地点の位置データ、主要地点の名称（例えば、主要地点に設置された施設の名称）、及び主要地点の住所等）と、スポットＩＤ（スポット情報毎に固有の識別情報）と、スポット情報の登録年月日時が対応付けられユーザＵｎ毎に判別可能に登録されるようになっている。
【００５９】
なお、プローブデータベース２００はブログサーバＢＳに設けられなくとも良く、この場合、ブログサーバＢＳは、適宜、プローブサーバＰＳに対して最新のスポット情報を要求して取得することになる。
【００６０】
一方、ブログデータベース２０１には、図３に示すように、ユーザＩＤと、パスワードと、氏名と、住所と、電話番号と、電子メールアドレスと、ブログページに関する情報（例えば、ブログページのＵＲＬ、ブログページのタイトル、ブログページに掲載される記事の表示件数、及びブログページを作成したユーザのプロフィール（ユーザのニックネーム、性別、生年月日等）等）と、当該ブログページに掲載される記事に関する情報（例えば、記事本文、記事の記事ＩＤ（記事毎に固有の識別情報であり、例えば記事のＵＲＬ）、記事のタイトル、記事に関する写真画像、記事のジャンル、記事を検索するためのキーワード、記事へのトラックバックの可否、記事の公開可否、スポット情報（当該記事がスポット情報等に基づく場合に限る）、スポット情報のスポットＩＤ、及び記事の登録年月日時等）と、が対応付けられユーザＵｎ毎に判別可能に登録されるようになっている。
【００６１】
なお、記事が複数ある場合（一人のユーザＵｎが記事を複数作成した場合）、記事毎（記事ＩＤ毎）に上記記事に関する情報が登録されることになる。また、１つの記事が複数のスポット情報等に基づき作成される場合もあり、この場合、各スポット情報に割り当てられた順序（例えば、ナビゲーション装置Ｎｎにおけるナビゲーション処理で使用される際の順序）を示す順序情報が上記記事に関する情報が登録されることになる。また、本実施形態においては、他のユーザＵｎの記事をクリップ（お気に入りとしてＵＲＬを登録するイメージ）することができるようになっている。
【００６２】
ここで、ユーザＩＤ、パスワード、氏名、住所、電話番号、及び電子メールアドレス等の情報は、各ユーザＵｎが当該システムの利用するための会員登録を行うことによりブログデータベース２０１に登録されることになる。
【００６３】
また、ブログページに関する情報は、当該ブログサーバＢＳからユーザ端末ＵＴｎに提供されたマイブログ設定ページ（マイブログ設定画面）の表示状態においてユーザＵｎからの入力を経てブログデータベース２０１に登録されることになる。
【００６４】
また、記事に関する情報のうち、記事本文、記事のタイトル、記事に関する写真画像、記事のジャンル、及び記事へのトラックバックの可否等は、例えば当該ブログサーバＢＳからユーザ端末ＵＴｎに提供された記事作成ページの表示状態においてユーザＵｎからの入力（又は指定）を経て（つまり、記事作成又は編集の際）ブログデータベース２０１に登録されることになり、かかる登録の際に、当該記事の記事ＩＤ（自動的に付与）、当該記事の基になったスポット情報（プローブデータベース２００から抽出されたスポット情報）、及び記事の登録年月日時もブログデータベース２０１に登録される。また、プローブデータベース２００から抽出されたスポット情報には、記事作成又は編集の際に、例えば当該スポット情報に係る主要地点に設置された施設の電話番号や最寄駅等の付加情報を付加して登録することが可能になっている。
【００６５】
なお、上記記事に関する情報に含まれる情報のうち、プローブデータに含まれるスポット情報以外の情報（例えば、記事本文、記事のタイトル、記事に関する写真画像、及び上記付加情報等）を、スポット情報に追加される追加情報という。
【００６６】
また、ブログデータベース２０１に登録された記事の基になった、例えばユーザＵ１のスポット情報は、他のユーザＵｎのユーザ端末ＵＴｎに提供できる情報である一方、未だ記事の基になっていない（プローブデータベース２００のみに登録されている）スポット情報は他のユーザＵｎのユーザ端末ＵＴｎに提供できない情報である。
【００６７】
そして、制御部２３は、ネットワークＮＷを介して接続されたユーザ端末ＵＴｎからの要求に応じて、上記ブログデータベース２０１に登録されたブログページに関する情報及び記事に関する情報に基づいてブログページ（つまり、当該記事が掲載されるブログページ）を構成する表示用データを作成し、当該作成した表示用データを、ユーザ端末ＵＴｎに対して提供（送信）するようになっている。また、制御部２３は、当該表示用データが提供されたユーザ端末ＵＴｎからネットワークＮＷを介して要求があった場合に、当該表示用データに含まれる記事の基になったスポット情報の全部又は一部（一部とは、例えば主要地点の位置データのみ）を、ナビゲーション装置Ｎｎにおけるナビゲーション処理で使用可能なスポット情報として（つまり、ナビゲーション装置Ｎｎにおけるナビゲーション処理で使用可能なスポット情報のファイルを作成）当該ユーザ端末ＵＴｎに対して提供するようになっている。
【００６８】
例えば、ユーザＵ１のナビゲーション装置Ｎ１（第１の情報処置装置の一例）におけるナビゲーション処理で使用されたスポット情報（又は、スポット情報及びこれに追加された追加情報）に基づく記事が掲載されたブログページ（つまり、ユーザＵ１のブログページ）を構成する表示用データが、ユーザＵ２のユーザ端末ＵＴ２に提供された場合において、当該ユーザＵ１のブログページに掲載された記事の基になったスポット情報（つまり、ユーザＵ１の記事の基になったスポット情報）の提供要求が当該ユーザ端末ＵＴ２からあった場合に、制御部２３は、当該ユーザＵ１のスポット情報の全部又は一部をブログデータベース２０１から取得し、当該取得したスポット情報に基づき、ユーザＵ２のナビゲーション装置Ｎ２（第２の情報処置装置の一例。なお、ユーザＵ１の記事に基づくスポット情報が、ブログサーバＢＳを介してユーザＵ１自身のナビゲーション装置Ｎ１に戻されて（つまり、追加情報が追加されたスポット情報が戻される）使用することも可能であり、この場合、本願の第１の情報処理装置と第２の情報処理装置は同一になる）におけるナビゲーション処理で使用可能なスポット情報のファイルを作成して、これを当該ユーザ端末ＵＴ２に対してネットワークＮＷを介して提供（送信）するようになっている。
【００６９】
これに対し、ユーザ端末ＵＴ２は、ブログサーバＢＳからのユーザＵ１の記事の基になったスポット情報（スポット情報のファイル）を受信（つまり、ダウンロード）し、これをＨＤ等に記憶することになる。そして、ユーザ端末ＵＴ２と通信端末ＣＴ２とが例えば専用通信ケーブルＫ２を介して接続されている状態において、当該ユーザ端末ＵＴ２において起動したスポット情報用転送用アプリケーションにより、上記記憶されたユーザＵ１の記事の基になったスポット情報（スポット情報のファイル）が抽出され、当該スポット情報がユーザ端末ＵＴ２から専用通信ケーブルＫ２を介して通信端末ＣＴ２に送信（転送）される。こうして送信されたユーザＵ１の記事の基になったスポット情報（スポット情報のファイル）は、通信端末ＣＴ２に装着された上記ＨＤドライブのユニットにおけるＨＤに記憶されることになり、最終的に、当該ＨＤドライブのユニットがナビゲーション装置Ｎ２に装着されると（つまり、ナビゲーション装置Ｎ２は、ユーザ端末ＵＴ２から通信端末ＣＴ２を通じて当該スポット情報を取得することになる）、これに記憶されたユーザＵ１の記事の基になったスポット情報が当該ナビゲーション装置Ｎ２におけるナビゲーション処理で使用可能となる。これにより、ユーザＵｎ間で、スポット情報をブログページを通じて効率良く共有することができる。
【００７０】
なお、ブログサーバＢＳからユーザ端末ＵＴｎに提供されるスポット情報には、当該スポット情報に付加された付加情報、これ以外の記事に関する情報(例えば、記事本文、記事のタイトル、記事に関する写真画像等)、更には記事が複数のスポット情報に基づく場合における各スポット情報（後述するシーン）に割り当てられた順序を示す順序情報を追加することができる。かかる追加により当初のスポット情報に対して付加価値を付けてナビゲーション装置Ｎｎに提供することができる。
【００７１】
また、制御部２３は、ネットワークＮＷを介して接続されたユーザ端末ＵＴｎから送信された、記事又はスポット情報を検索するための検索条件（後述する検索ページ上で入力又は選択されたもの）を示す検索情報を受信した場合に、ブログデータベース２０１に登録されているスポット情報に基づく記事に関する情報を参照して、当該受信された検索情報に示された検索条件を満たす記事又はスポット情報を検索し、当該検索された記事又はスポット情報を示す検索結果情報を、上記検索情報を送信したユーザ端末ＵＴｎに対して提供するようになっておる（詳細は後述）。
【００７２】
ここで、ブログサーバＢＳからユーザ端末ＵＴ２に提供され、ユーザ端末ＵＴ２におけるディスプレイ上に表示される各Ｗｅｂページの表示例について説明する。
【００７３】
（ブログページの表示例）
先ず、図４を参照して、ブログページの表示例について説明する。
【００７４】
図４は、ユーザ端末ＵＴ２に提供され、当該ユーザ端末ＵＴ２におけるディスプレイ上に表示されたブログページの表示例を示す図であり、（Ａ）は、ユーザ端末ＵＴ２のユーザＵ２（ニックネーム：ＡＢＣ）とは異なるユーザＵ１（ニックネーム：ＤＥＦ）のブログページ３０１を示しており、（Ｂ）は、ユーザ端末ＵＴ２のユーザＵ２（ニックネーム：ＡＢＣ）自身のブログ（マイブログ）ページ３０２を示している。
【００７５】
なお、図４の例では、ユーザ端末ＵＴ２のユーザＵ２がログイン状態（ユーザ端末ＵＴ２に表示されたログインページ上で入力されたユーザＩＤ及びパスワードの認証を経て）にある（以下、図５〜図８についても同様）。
【００７６】
図４（Ａ）に示すブログページ３０１には、ユーザＵ１の写真画像及びプロフィールを表示するプロフィール表示部３０１ａと、ユーザＵ１の記事等を表示する記事表示部３０１ｂが設けられている。
【００７７】
記事表示部３０１ｂには、記事の登録年月日時３０１ｂａ、記事のタイトル３０１ｂｂ、記事本文３０１ｂｃ、記事に関する写真画像３０１ｂｄが表示されており、これらは、記事を構成するものである（なお、狭い意味では、記事とは記事本文を指し、当該記事本文はスポット情報に追加される追加情報としても位置付けられる）。かかる記事表示部３０１ｂにおける記事は、１つのスポット情報（この例では、上述した主要地点に設置されたガソリンスタンドに関する情報）に基づくものである。
【００７８】
また、記事本文３０１ｂｃにおける文字「ガソリンスタンドＧＸ」は、スポット情報に含まれる主要地点の名称であり、それ以外の文字「リッターあたり、とても安かったです。」は、ユーザ端末ＵＴ１上でユーザＵ１により書き込まれた（入力された）コメントである。
【００７９】
また、記事表示部３０１ｂには、ＭＡＰボタン３０１ｂｅ、ダウンロードボタン３０１ｂｆ、クリップボタン３０１ｂｇ、及びスポット情報表示ボタン３０１ｂｈが設けられている。
【００８０】
ＭＡＰボタン３０１ｂｅは、当該記事の基になったスポット情報に含まれる主要地点周辺（つまり、主要地点の位置データから特定される位置を中心とした周辺例えば数ｋｍ以内）の地図画像を表示するためのボタンであり、当該ＭＡＰボタン３０１ｂｅがユーザＵ２により指定（例えば、マウスによりクリック）されると、当該地図画像を表示するページがユーザ端末ＵＴ２のディスプレイ上に表示される（例えば、ＭＡＰボタン３０１ｂｅに埋め込まれていたリンク（ハイパーリンク）先のＵＲＬによる）。
【００８１】
ダウンロードボタン３０１ｂｆは、ユーザＵ１の記事の基になったスポット情報をダウンロードするためのボタンであり、当該ダウンロードボタン３０１ｂｆがユーザＵ２により指定（例えば、マウスによりクリック）されると、ユーザＵ１の記事の基になったスポット情報のファイルがユーザ端末ＵＴ２にダウンロードされる。
【００８２】
クリップボタン３０１ｂｇは、ユーザＵ１の記事をクリップするためのボタンであり、クリップボタン３０１ｂｇがユーザＵ２により指定（例えば、マウスによりクリック）されると、ユーザＵ１の記事の記事ＩＤがユーザＵ２のユーザＩＤに対応付けられてブログデータベース２０１に登録される（つまり、クリップされる）。
【００８３】
スポット情報表示ボタン３０１ｂｈは、ユーザＵ１の記事の基になったスポット情報に含まれる例えば主要地点の経度及び緯度、主要地点の名称、及び主要地点の住所等の情報（付加情報を含む）を表示するためのボタンであり、スポット情報表示ボタン３０１ｂｈがユーザＵ２により指定（例えば、マウスによりクリック）されると、スポット情報に含まれる情報を表示するページがユーザ端末ＵＴ２のディスプレイ上に表示される。
【００８４】
また、図４（Ａ）の例では、ユーザＵ１の記事は３件登録されており、現在表示されている以外の記事は、例えば符号３０１ｃ部における「前のページ」若しくは「次のページ」のクリックによりブログページ３０１上に表示されることになる。
【００８５】
更に、図４（Ａ）に示すブログページ３０１には、マイブログボタン３０１ｄ及びブロブポータルボタン３０１ｅ等が設けられている。
【００８６】
マイブログボタン３０１ｄは、ユーザＵ２自身のブログ（マイブログ）ページ３０２を表示するためのボタンであり、マイブログボタン３０１ｄがユーザＵ２により指定（例えば、マウスによりクリック）されると、図４（Ｂ）に示すようなユーザＵ２自身のブログページ３０２がユーザ端末ＵＴ２のディスプレイ上に表示される。
【００８７】
ブロブポータルボタン３０１ｅは、記事やスポット情報等を検索するための検索ページを表示するためのボタンであり、ブロブポータルボタン３０１ｅがユーザＵ２により指定（例えば、マウスによりクリック）されると、後述する検索ページ（例えば、図５（Ａ））がユーザ端末ＵＴ２のディスプレイ上に表示される。
【００８８】
次に、図４（Ｂ）に示すブログページ３０２は、図４（Ａ）に示すブログページ３０１と基本的構成は同様（重複する説明を省略する）であるが、図４（Ｂ）に示すブログページ３０２における記事表示部３０２ｂに表示された記事は、例えば符号３０２ｂａ部における「編集」又は符号３０２ｂｂ部における「スポットについて記事作成」のユーザＵ２により指定（例えば、マウスによりクリック）により記事作成ページが表示され編集可能になっており、また、例えば符号３０２ｂａ部における「削除」の指定により当該記事が削除可能になっている。
【００８９】
また、ユーザＵ２自身のブログページ３０２であっても、当該ユーザＵ２の記事のクリップ及び当該記事の基になるスポット情報のダウンロードは可能になっている。これは、ユーザＵ２自身のナビゲーション装置Ｎ２におけるナビゲーション処理で使用されたスポット情報であっても、これに対応する記事の作成又は編集の際に当該スポット情報に対して付加情報を付加するなどしてナビゲーション装置Ｎ２に戻して有効に活用できるからである。
【００９０】
また、図４（Ｂ）に示すブログページ３０２における記事表示部３０２ｂに表示された記事は、２つのスポット情報に基づいており、記事表示部３０２ｂに設けられた「すべてのクリップ」ボタン３０２ｂｃの指定により、当該２つのスポット情報を纏めてクリップすることが可能になっている。また、記事表示部３０２ｂに設けられた「すべてのダウンロード」ボタン３０２ｂｄの指定により、当該２つのスポット情報を纏めてダウンロードすることが可能になっている（この場合、各スポット情報に割り当てられた順序を示す順序情報もスポット情報に付加されてダウンロードされる）。
【００９１】
更に、図４（Ｂ）に示ブログページ３０２には、スポットリストボタン３０２ｆ、記事作成ボタン３０２ｇ、マイクリップリストボタン３０２ｈ、及び設定ボタン３０２ｉが設けられている。
【００９２】
スポットリストボタン３０２ｆは、ユーザＵ２のスポット情報（つまり、ユーザＵ２のナビゲーション装置Ｎ２におけるナビゲーション処理で使用されたスポット情報）の一覧（リスト）を表示するためのボタンであり、スポットリストボタン３０２ｆがユーザＵ２により指定（例えば、マウスによりクリック）されると、後述するスポットリストページ（例えば、図６（Ａ）、図７（Ａ））がユーザ端末ＵＴ２のディスプレイ上に表示される。
【００９３】
記事作成ボタン３０２ｇは、ユーザＵ２が記事を作成する記事作成ページを表示するためのボタンであり、記事作成ボタン３０２ｇがユーザＵ２により指定（例えば、マウスによりクリック）されると、記事作成ページがユーザ端末ＵＴ２のディスプレイ上に表示される。
【００９４】
マイクリップリストボタン３０２ｈは、ユーザＵ２による記事の指定（例えば、図４（Ａ）に示すクリップボタン３０１ｂｇの指定）によりクリップされた記事の一覧を表示するためのボタンであり、マイクリップリストボタン３０２ｈがユーザＵ２により指定（例えば、マウスによりクリック）されると、後述するマイクリップリストページ（例えば、図８）がユーザ端末ＵＴ２のディスプレイ上に表示される。
【００９５】
なお、設定ボタン３０２ｉは、ブログページ３０２のレイアウトや機能の設定を行うためのボタンである。
【００９６】
（検索ページの表示例）
次に、図５を参照して、検索ページの表示例について説明する。
【００９７】
図５は、ユーザ端末ＵＴ２に提供され、当該ユーザ端末ＵＴ２におけるディスプレイ上に表示された検索ページの表示例を示す図であり、（Ａ）は、検索前の表示状態を、（Ｂ）は、検索後の表示状態を示している。
【００９８】
図５（Ａ）に示す検索ページ３０３には、記事検索部３０３ａ、スポット情報検索部３０３ｂ、新着記事のタイトル等の一覧を表示する新着記事表示部３０４ｃ、及びアクセスが多い人気ブログのランキングを表示する人気ブログランキング表示部３０３ｄ等が設けられている。
【００９９】
記事検索部３０３ａでは、本文検索及びジャンル（カテゴリー）検索を行うことができる。本文検索は、ユーザＵ２により入力欄３０３ａａに入力（例えば、キーボードから入力）された文字が記事本文（更に、記事のタイトルを含めても良い）中に含まれる記事をブログデータベース２０１から検索するものである。また、ジャンル検索は、ユーザＵ２により入力欄３０３ａｂに入力されたジャンルが対応付けられた記事をブログデータベース２０１から検索するものである。かかるジャンル検索では、予め用意されたジャンル候補（例えば、ファッション、食事、美容、インテリア等）が、ユーザＵ２による選択ボタン３０３ａｃの指定（例えば、マウスによりクリック）によりプルダウン表示され、その中からユーザＵ２により指定されたジャンルが入力欄３０３ａｂに入力されることになる。
【０１００】
なお、本文検索及びジャンル検索は、検索ボタン３０３ａｄのユーザＵ２の指定によりブログサーバＢＳにより実行される。
【０１０１】
また、スポット情報検索部３０３ｂでは、名称検索、住所検索、ジャンル検索、地点検索、キーワード検索、及び最寄駅検索を行うことができる。名称検索は、ユーザＵ２により入力欄３０３ｂａに入力された名称（上述した主要地点の名称に相当）を有するスポット情報をブログデータベース２０１から検索するものである。また、住所検索は、ユーザＵ２により入力欄３０３ｂｂに入力された住所（上述した主要地点の住所に相当）を有するスポット情報をブログデータベース２０１から検索するものである。また、ジャンル検索は、ユーザＵ２により入力欄３０３ｂｃに入力されたジャンルが対応付けられたスポット情報をブログデータベース２０１から検索するものである。かかるジャンル検索では、記事検索部３０３ａにおけるジャンル検索と同様、予め用意されたジャンル候補が、ユーザＵ２による選択ボタン３０３ｂｄの指定によりプルダウン表示され、その中からユーザＵ２により指定されたジャンルが入力欄３０３ｂｃに入力されることになる。
【０１０２】
また、地点検索は、ユーザＵ２により入力欄３０３ｂｅに入力された中心地点から、入力欄３０３ｂｇに入力された範囲（距離（例えば、５ｋｍ））以内に設置される施設等（入力欄３０３ｂａに入力された名称や、入力欄３０３ｂｃに入力されたジャンルに該当する施設等）に係るスポット情報をブログデータベース２０１から検索するものである。なお、この地点検索では、予め用意された中心地点候補が、ユーザＵ２による選択ボタン３０３ｂｆの指定によりプルダウン表示され、その中からユーザＵ２により指定された中心地点が入力欄３０３ｂｅに入力されることになる。図５の例では、中心地点が「自宅」とされているが、この他にも、例えば所定の駅や店舗等を中心地点とすることができる。
【０１０３】
また、キーワード検索は、ユーザＵ２により入力欄３０３ｂｈに入力されたキーワードが対応付けられたスポット情報をブログデータベース２０１から検索するものである。最寄駅検索は、ユーザＵ２により入力欄３０３ｂｉに入力された最寄駅が対応付けられたスポット情報をブログデータベース２０１から検索するものである。
【０１０４】
なお、名称検索、住所検索、ジャンル検索、地点検索、キーワード検索、及び最寄駅検索は、検索ボタン３０３ｂｊのユーザＵ２の指定によりブログサーバＢＳにより実行される。
【０１０５】
そして、例えば、図５（Ａ）に示すように、入力欄３０３ｂａに「ガソリンスタンド」が入力され、入力欄３０３ｂｅに「自宅」が入力され、入力欄３０３ｂｇに「５ｋｍ」入力された状態で検索ボタン３０３ｂｊが指定されると、入力された検索条件に基づいてブログサーバＢＳにより検索（ここでは、ユーザＵ２の自宅（例えば、ブログデータベース２０１に登録されている当該ユーザＵ２の住所）から５ｋｍ以内に設置されるガソリンスタンドが検索）が実行（検索条件を満たすスポット情報が検索される）され、その検索結果が、図５（Ｂ）に示すスポット情報検索結果表示部３０４ａに表示されることになる。
【０１０６】
図５（Ｂ）に示すスポット情報検索結果表示部３０４ａには、検索された複数のスポット情報の一覧が表示されており、例えば、ユーザＵ２が符号３０４ａａを指定すると、当該指定されたスポット情報等に基づく記事を掲載するブログページ（例えば、図４（Ａ））がユーザ端末ＵＴ２のディスプレイ上に表示されることになる。
【０１０７】
（スポットリストページ及び記事作成ページの表示例）
次に、図６及び図７を参照し、スポットリストページ及び記事作成ページの表示例について説明する。
【０１０８】
図６（Ａ），図７（Ａ）は、ユーザ端末ＵＴ２に提供され、当該ユーザ端末ＵＴ２におけるディスプレイ上に表示されたスポットリストページの表示例を示す図であり、図６（Ｂ），図７（Ｃ）は、ユーザ端末ＵＴ２に提供され、当該ユーザ端末ＵＴ２におけるディスプレイ上に表示された記事作成ページの表示例を示す図である。
【０１０９】
図６（Ａ）に示すスポットリストページ３０５では、ユーザＵ２のスポット情報（この例では、主要地点の名称、住所、登録年月日時）が一覧表示されている。かかるスポット情報は、例えばプローブデータベース２００から取得されたもの（或いは、プローブデータベース１００から取得されたものでも良い）であり、未だ記事の基になっていないスポット情報である。
【０１１０】
また、これらのスポット情報のうち、画像が含まれているもの（つまり、ナビゲーション装置Ｕ２において画像が地図データから取得された場合）については、その画像が画像表示部（縦の列）３０５ａに表示されることになる（画像が含まれていないものは、図示の通り、空欄となる）。また、ＭＡＰボタン表示部（縦の列）３０５ｂには、各スポット情報に対応するＭＡＰボタンが設けられており、当該ＭＡＰボタンがユーザＵ２により指定（例えば、マウスによりクリック）されると、当該ＭＡＰボタンに対応するスポット情報に係る主要地点の周辺の地図画像が表示される。
【０１１１】
また、スポットリストページ３０５には、スポット情報を選択するためのチェックボックスが設けられており、ユーザＵ２は、記事の基になるスポット情報を当該チェックボックスの指定により選択可能になっている。例えば、図６（Ａ）に示すチェックボックス３０５ｃがユーザＵ２により指定（例えば、マウスによりクリック）された後、記事作成ボタン３０５ｄが指定されると、当該選択されたスポット情報に基づく記事を作成するための記事作成ページが、図６（Ｂ）に示すように表示される。
【０１１２】
図６（Ｂ）に示す記事作成ページ３０６において、記事の日時の入力欄３０６ａには、例えば記事作成ボタンが指定されたときの日時が自動的に入力される。また、記事作成ページ３０６には、記事のタイトルの入力欄３０６ｂ、記事のジャンル（上述したジャンル検索の際に用いられるジャンル）の入力欄３０６ｄ（選択ボタン３０６ｃの指定によりプルダウン表示されたジャンル候補中から選択）、及び記事本文の入力欄３０６ｅ等が設けられており、これらの入力欄にはユーザＵ２により入力される。また、当該スポット情報に既に画像が含まれている場合、その画像は画像表示欄３０６ｇに表示されることになるが、含まれていなかった場合、ユーザＵ２が参照ボタン３０６ｆを指定して所望の画像が格納されているパス（ユーザ端末ＵＴ２における画像の記憶場所）を選択することにより、当該画像が画像表示欄３０６ｇに表示されスポット情報に追加されることになる。なお、シーン追加ボタン３０６ｈは、複数のスポット情報に基づく記事を作成するためのボタンであるが、これについては後述するシーン追加ボタン３０９ｃと同様の機能である。
【０１１３】
更に、図６（Ｂ）に示す記事作成ページ３０６には、スポット情報に付加する付加情報を入力するための入力部３０６ｉが設けられている。図６（Ｂ）の例では、名称の入力欄３０６ｉａ及び住所の入力欄ｉｂには、既にスポット情報に含まれていた主要地点の名称及び住所が自動的に入力されている。そして、かかる入力部３０６ｉにおいてユーザＵ２は、例えば当該主要地点に設置される施設等の電話番号、ＵＲＬ、営業時間（店舗の場合）、キーワード（例えば上述したキーワード検索に際に用いられるキーワード）、ジャンル（例えば上述したジャンル検索の際に用いられるキーワード）、最寄駅（例えば上述した最寄駅検索の際に用いられる最寄駅）を、付加情報として各入力欄に入力することができる。
【０１１４】
こうして記事作成ページ３０６において各情報がユーザＵ２により入力等された後、記事の登録ボタン３０６ｊがユーザＵ２により指定（例えば、マウスによりクリック）されると、当該入力等された情報（画像も含む）が記事に関する情報としてユーザＵ２のユーザＩＤに対応付けられてブログデータベース２０１に登録される。
【０１１５】
ところで、上述したように１つの記事を複数のスポット情報に基づき作成する（この場合、各スポット情報は、当該記事における１シーンを構成する）場合、例えば、図７（Ａ）に示すように、スポットリストページ３０７において、ユーザＵ２が記事の基になる複数のスポット情報の夫々のチェックボックス（例えば、３０７ａ〜３０７ｄ）を指定した後、記事作成ボタン３０７ｅを指定すると、選択された複数のスポット情報が抽出され、かかるスポット情報が、図７（Ｂ）に示すように表示される。かかる表示状態では、ユーザＵ２は、上矢印ボタン３０８ａ（これにより対応するスポット情報の順位が上がる）又は下矢印ボタン３０８ｂ（これにより対応するスポット情報の順位が下がる）の指定により、選択したスポット情報の順序を割り当てることができる。図７（Ｂ）の例では、「ホテル」に係るスポット情報（シーン１となる）→「Ｋ遊園地」に係るスポット情報（シーン２となる）→「ガソリンスタンドＭ」に係るスポット情報（シーン３となる）→「フレンチレストラン」に係るスポット情報（シーン４となる）の順に順序が割り当てられている。かかるスポット情報（シーン）に割り当てられた順序にしたがって記事上における表示順序が決まったり、ナビゲーション装置Ｎ２におけるナビゲーション処理で使用する順序（例えば、主要地点を案内する順序等）が決まることになる。
【０１１６】
そして、ユーザＵ２により順序が設定された後、記事作成ボタン３０８ｃが指定されると、当該選択された複数のスポット情報に基づく記事を作成するための記事作成ページが、図７（Ｃ）に示すように表示される。
【０１１７】
図７（Ｃ）に示す記事作成ページ３０９において、例えば記事の日時、記事のタイトル及び記事のジャンルを除き、各スポット情報毎に、記事本文の入力、画像の設定、及びスポット情報の追加入力を行うことができる。なお、図７（Ｃ）の例では、順位が１位のシーン１が選択（カーソル３０９ａによる）されており、当該シーン１に対応するスポット情報に基づき記事の入力を行うことができるようになっている。また、シーンからスポット情報を外したい場合、削除ボタン３０９ｂの指定により、選択中のスポット情報を外すことができる。一方、シーンにスポット情報を追加したい場合、シーン追加ボタン３０９ｃの指定より例えば図７（Ａ）に示すスポットリストページ３０７が表示され追加するスポット情報を選択できるようになっている。
【０１１８】
こうして記事作成ページ３０９において各シーンについての情報がユーザＵ２により入力等された後、記事の登録ボタン３０９ｄがユーザＵ２により指定（例えば、マウスによりクリック）されると、当該入力等された複数のシーンに対応する情報（画像も含む）及び各シーン（スポット情報）に割り当てられた順序を示す順序情報が、記事に関する情報としてユーザＵ２のユーザＩＤに対応付けられてブログデータベース２０１に登録されることになり、その後、当該記事が閲覧される場合、例えば図４（Ｂ）の記事表示部３０２ｂに示すように各シーンに割り当てられた順序にしたがって記事が表示される。
【０１１９】
なお、記事の作成及び登録は、例えば上述した図４（Ｂ）に示ブログページ３０２に示す記事作成ボタン３０２ｇの指定により表示される記事作成ページ上でも行うことができる。かかる記事作成ページには、図示しないが（基本的な構成は図６（Ｂ）に示す記事作成ページ３０６と同様）、例えばスポット情報を取り込むためのボタン（例えば、シーン追加ボタン３０６ｈのようなボタン）が設けられており、当該ボタンの指定によりスポット情報を取り込み対応付けることができる。ただし、この記事作成ページによる記事作成の場合、スポット情報の取り込みを行わなければ、スポット情報に基づかない記事が作成されることになる（その後の編集によりスポット情報に基づき記事に変更することができる）。
【０１２０】
（マイクリップリストページの表示例）
次に、図８を参照して、マイクリップリストページの表示例について説明する。
【０１２１】
図８は、ユーザ端末ＵＴ２に提供され、当該ユーザ端末ＵＴ２におけるディスプレイ上に表示されたマイクリップリストページの表示例を示す図である。
【０１２２】
図８に示すマイクリップリストページ３１０では、ユーザＵ２の指定によりクリップされた記事（この例では、記事本文、画像、及び当該記事の基になったスポット情報等）が一覧表示されている。これらの記事は、多くのユーザのブログページにおいて、ユーザＵ２がクリップボタンの指定によりクリップされたものであり、このマイクリップリストページ３１０では、これらクリップされた記事の基になったスポット情報のうちから、所望のスポット情報を選択してダウンロードすることができる。例えば、ユーザＵ２がダウンロードしたいスポット情報に対応するチェックボックス（例えば、３１０ｂ及び３１０ｃ）を指定（選択）した後、ダウンロードボタン３１０ｄを指定すると、当該選択されたスポット情報のファイルがユーザ端末ＵＴ２にダウンロードされる。
【０１２３】
［２．情報提供システムＳの動作］
次に、図９等を参照して、本実施形態に係る情報提供システムＳの動作例について説明する。
【０１２４】
図９は、ユーザ端末ＵＴ２とブログサーバＢＳとの間の情報のやり取り等を示すシーケンス図である。
【０１２５】
例えばユーザＵ２の車両に搭載されたナビゲーション装置Ｎ２におけるナビゲーション処理（例えば経路探索処理）において使用されたスポット情報は、上述したように、当該ユーザＵ２に対応するユーザＩＤと共にプローブデータとして通信端末ＣＴ２から専用通信回線Ｃ２を介してプローブサーバ１００に送信され、プローブデータベース１００に登録される。こうして、登録されたプローブデータは、専用通信回線ＣＺを介してブログサーバＢＳに送信され、プローブデータベース１００に登録される。
【０１２６】
そして、ユーザＵ２が、こうして登録されたスポット情報に基づく記事を作成したい場合、ユーザ端末ＵＴ２においてＷｅｂブラウザを起動させ、例えばマイブログページのＵＲＬをマウス等により指定（例えば、当該ユーザＵ２のお気に入り登録から指定）すると、ユーザ端末ＵＴ２はネットワークＮＷを介してブログサーバＢＳに接続し、ブログページの要求（ブログページの要求を示すメッセージを送信）を行う（ステップＳ１）。ブログサーバＢＳは、ブログページの要求を示すメッセージを受信すると、かかる要求に応じて、ブログデータベース２０１に登録されたユーザＵ２に対応するブログページに関する情報及び記事に関する情報等に基づきブログページを構成する表示用データを作成し（ステップＳ２）、当該表示用データをユーザ端末ＵＴ２に対して提供（送信）する（ステップＳ３）。こうして、当該表示用データは、ユーザ端末ＵＴ２により受信され、当該ブログページがディスプレイ上に表示される。そして、ユーザＵ２は当該ブログページ上で、自身のユーザＩＤ及びパスワードをキーボードから入力、実行してログインが完了（ユーザＩＤはユーザ端末ＵＴ２におけるクッキーに格納される）すると、図４（Ｂ）に示すようなブログページ３０２がユーザ端末ＵＴ２におけるディスプレイ上に表示される。
【０１２７】
このようなブログページ３０２において、ユーザＵ２が例えばブログページ３０２におけるスポットリストボタン３０２ｆを指定すると、ユーザ端末ＵＴ２はブログサーバＢＳに対してスポットリストページの要求（スポットリストページの要求を示すメッセージ（ユーザＵ２のユーザＩＤ等を含む）を送信）を行う（ステップＳ４）。ブログサーバＢＳは、スポットリストページの要求を示すメッセージを受信すると、かかる要求に応じて、プローブデータベース２００からユーザＵ２のユーザＩＤに対応するスポット情報を取得し、当該取得したスポット情報に含まれる主要地点の名称及び住所等が記述されたスポットリストページを構成する表示用データを作成し（ステップＳ５）、当該表示用データ（上記取得された各スポット情報のスポットＩＤが含まれる）を、ユーザ端末ＵＴｎに対して提供（送信）する（ステップＳ６）。なお、ここで、ブログサーバＢＳは、専用通信回線ＣＺを介してプローブサーバＰＳに対してユーザＵ２のユーザＩＤに対応するスポット情報を要求し、当該プローブサーバＰＳから最新のスポット情報を取得し、これが記述されたスポットリストページを構成する表示用データを作成し、これを提供するように構成しても良い。
【０１２８】
こうして、上記スポットリストページを構成する表示用データは、ユーザ端末ＵＴ２により受信され、図６（Ａ）に示すようなユーザＵ２のスポットリストページ３０５がディスプレイ上に表示される。
【０１２９】
このようなスポットリストページ３０５において、ユーザＵ２が記事にしたいスポット情報に対応するチェックボックスを指定し（つまり、スポット情報を選択）、記事作成ボタン３０５ｄを指定すると、ユーザ端末ＵＴ２はブログサーバＢＳに対して記事作成ページの要求（記事作成ページの要求を示すメッセージ（ユーザＵ２のユーザＩＤ及び選択されたスポット情報のスポットＩＤ等を含む）を送信）を行う（ステップＳ７）。ブログサーバＢＳは、記事作成ページの要求を示すメッセージを受信すると、かかる要求に応じて、上記選択されたスポット情報に基づく記事を作成するための記事作成ページを構成する表示用データを作成し（ステップＳ８）、当該表示用データ（当該スポット情報のスポットＩＤが含まれる）を、ユーザ端末ＵＴｎに対して提供（送信）する（ステップＳ９）。なお、ユーザＵ２が、スポットリストページ上でスポット情報を複数選択した場合、これらのスポット情報に順序が割り当てられることになるが、上記記事作成ページの要求を示すメッセージには、各スポット情報に割り当てられた順序を示す順序情報が含まれることになる。
【０１３０】
こうして、上記記事作成ページを構成する表示用データは、ユーザ端末ＵＴ２により受信され、図６（Ｂ）に示すようなユーザＵ２の記事作成ページ３０６がディスプレイ上に表示される。
【０１３１】
このような記事作成ページ３０６において、ユーザＵ２が、上述したように記事本文及びスポット情報に付加する付加情報等を入力し、記事の登録ボタン３０６ｊを指定すると、ユーザ端末ＵＴ２はブログサーバＢＳに対して記事の登録要求（記事の登録要求を示すメッセージ（入力された情報（画像が指定された場合、当該画像データも含む）、ユーザＵ２のユーザＩＤ、当該記事の基になるスポット情報のスポットＩＤ、更には複数のスポット情報に基づく場合、各スポット情報に割り当てられた順序情報等を含む）を送信）を行う（ステップＳ１０）。ブログサーバＢＳは、上記記事の登録要求を示すメッセージを受信すると、かかる要求に応じて、上記入力された情報（記事本文、及び付加情報等を含む追加情報）を記事（つまり、スポット情報及びこれに追加される追加情報に基づく記事）に関する情報として、記事ＩＤを付与し、ユーザＵ２のユーザＩＤに対応付けてブログデータベース２０１に登録する（ステップＳ１１）。こうして登録された記事（公開設定された記事）は、他のユーザＵｎに対して公開、つまり、検索等で検索可能となり他のユーザＵｎのユーザ端末ＵＴｎに対して提供可能となる。
【０１３２】
こうして記事登録がなされると、再び、図４（Ｂ）に示すようなブログページ３０２がユーザ端末ＵＴ２におけるディスプレイ上に表示される。
【０１３３】
このようなブログページ３０２において、ユーザＵ２が、他のユーザＵｎのブログページを閲覧したい場合、例えばブログページ３０２におけるブログポータルボタンを指定すると、ユーザ端末ＵＴ２はブログサーバＢＳに対して検索ページの要求（検索ページの要求を示すメッセージ（ユーザＵ２のユーザＩＤ等を含む）を送信）を行う（ステップＳ１２）。ブログサーバＢＳは、検索ページの要求を示すメッセージを受信すると、かかる要求に応じて、検索ページを構成する表示用データを作成し（ステップＳ１３）、当該表示用データをユーザ端末ＵＴ２に対して提供（送信）する（ステップＳ１４）。
【０１３４】
こうして、上記検索ページを構成する表示用データは、ユーザ端末ＵＴ２により受信され、図５（Ａ）に示すような検索ページ３０３がディスプレイ上に表示される。
【０１３５】
このような検索ページ３０３において、ユーザＵ２が例えばスポット情報検索部３０３ｂにおいて所望の検索条件を入力し、検索ボタン３０３ｂｊを指定すると、ユーザ端末ＵＴ２はブログサーバＢＳに対して検索要求（検索要求を示すメッセージ（入力された、スポット情報を検索するための検索条件を示す検索情報等を含む）を送信）を行う（ステップＳ１５）。ブログサーバＢＳは、検索要求を示すメッセージを受信すると、かかる要求に応じて、ブログデータベース２０１に含まれる記事（公開設定された記事）に関する情報を参照して当該検索条件を満たすスポット情報を検索し（記事の検索の場合も同様）（ステップＳ１６）、検索された全てのスポット情報（スポットＩＤ及び名称等の一部の情報で良い）を含む検索結果リストデータ（つまり、検索されたスポット情報を示す検索結果情報）をユーザ端末ＵＴ２に対して提供（送信）する（ステップＳ１７）。
【０１３６】
こうして、上記検索結果リストデータは、ユーザ端末ＵＴ２により受信され、これが、図５（Ｂ）に示すようにディスプレイ上に表示される。
【０１３７】
このような検索ページ３０４のスポット情報検索結果表示部３０４ａにおいて、ユーザＵ２が、ユーザＵ２が符号３０４ａａを指定すると、当該指定されたスポット情報に基づく記事を掲載するブログページの要求（ブログページの要求を示すメッセージを送信）を行う（ステップＳ１８）。ブログサーバＢＳは、ブログページの要求を示すメッセージを受信すると、かかる要求に応じて、ブログデータベース２０１に登録された、要求に係るブログページに関する情報及び記事に関する情報等に基づきブログページを構成する表示用データを作成し（ステップＳ１９）、当該表示用データをユーザ端末ＵＴ２に対して提供（送信）する（ステップＳ２０）。
【０１３８】
こうして、当該表示用データは、ユーザ端末ＵＴ２により受信され、図４（Ａ）に示すようなユーザＵ１のブログページ３０１がディスプレイ上に表示される。
【０１３９】
このようなブログページ３０１において、ユーザＵ２が当該ユーザＵ１の記事をクリップしたい場合、当該ブログページ３０１におけるクリップボタン３０１ｂｇを指定すると、ユーザ端末ＵＴ２はブログサーバＢＳに対してユーザＵ１の記事のクリップ要求（ユーザＵ１の記事のクリップ要求を示すメッセージ（ユーザＵ２のユーザＩＤ等を含む）を送信）を行う（ステップＳ２１）。ブログサーバＢＳは、クリップ要求を示すメッセージを受信すると、かかる要求に応じて、当該ユーザＵ１の記事の記事ＩＤを、ユーザＵ２のユーザＩＤに対応付けてブログデータベース２０１に登録する（つまり、クリップする）（ステップＳ２２）。
【０１４０】
また、ブログページ３０１において、ユーザＵ２が当該ユーザＵ１の記事の基になったスポット情報をダウンロードしたい場合、当該ブログページ３０１におけるダウンロードボタン３０１ｂｆを指定すると、ユーザ端末ＵＴ２はブログサーバＢＳに対してユーザＵ１の記事の基になったスポット情報の提供要求（ユーザＵ１の記事の基になったスポット情報の提供要求を示すメッセージ（ユーザＵ２のユーザＩＤ等を含む）を送信）を行う（ステップＳ２３）。ブログサーバＢＳは、スポット情報の提供要求を示すメッセージを受信すると、かかる要求に応じて、当該ユーザＵ１の記事の基になったスポット情報の全部又は一部（或いは、当該スポット情報に加えて付加情報、記事本文、記事のタイトル、及び記事に関する写真画像等の何れか一つ又は全部）を取得（どの情報を取得するかは、例えばブログサーバＢＳの管理者が任意に設定可能になっている）し、当該取得したスポット情報等に基づき、ナビゲーション装置におけるナビゲーション処理で使用可能なスポット情報のファイルを作成し（ステップＳ２４）、当該ユーザ端末ＵＴ２に対して提供（送信）する（ステップＳ２５）。なお、記事が複数のスポット情報に基づく場合、各スポット情報に割り当てられた順序を示す順序情報もスポット情報のファイルに含められることになる。
【０１４１】
なお、かかるスポット情報のファイルは、上述した図８に示すマイクリップリストページ３１０の表示状態において、ユーザＵ２が、ダウンロードボタン３１０ｄを指定することにより一括して当該ユーザ端末ＵＴ２に提供（送信）される。
【０１４２】
こうして、当該スポット情報のファイルは、ユーザ端末ＵＴ２により受信（つまり、ダウンロード）され、ＨＤ等に記憶される。そして、ユーザ端末ＵＴ２と通信端末ＣＴ２とが例えば専用通信ケーブルＫ２を介して接続されている状態において、当該ユーザ端末ＵＴ２は、上記記憶されたスポット情報のファイルを通信端末ＣＴ２に送信（転送）する（ステップＳ２６）。そして当該スポット情報のファイルは、通信端末ＣＴ２に装着された上記ＨＤドライブのユニットにおけるＨＤに記憶されることになり、当該ＨＤドライブのユニットがナビゲーション装置Ｎ２に装着されると、これに記憶されたユーザＵ１の記事の基になったスポット情報等が当該ナビゲーション装置Ｎ２におけるナビゲーション処理で使用可能となる。
【０１４３】
例えば、ナビゲーション装置Ｎ２のシステム制御部１８は、ユーザＵ２から操作部１７を介してスポット情報一覧の表示指示があった場合に、上記取り込まれたスポット情報のファイルから例えば主要地点の名称及び住所等の情報を抽出し、抽出した情報が記述されたスポット情報一覧画面を表示部１５上に表示する。
【０１４４】
こうして、表示されたスポット情報一覧画面４０１の一例を図１０に示す。図１０の例では、スポット情報選択バー４０１ａ〜４０１ｄがカーソル４１０（当該カーソル４１０は、ユーザＵ２の操作部１７を介した指示により上下方向に移動する）により選択可能に表示されていると共に、目的地設定ボタン４０１ｅ及び地点確認ボタン４０１ｆが選択可能に表示されている。なお、スポット情報選択バーには、スポット情報に含まれる経度緯度、追加情報に含まれる営業時間、最寄駅、記事本文、又は記事に関する写真画像等を表示するように構成しても良い。
【０１４５】
スポット情報選択バー４０１ａには、１つのスポット情報に係る主要地点の名称及び住所が表示されており、当該スポット情報選択バー４０１ａがカーソル４１０により選択されている状態で、ユーザＵ２が操作部１７により目的地設定ボタン４０１ｅを選択し例えば操作部１７における実行ボタンを押下すると、システム制御部１８は、当該選択されたスポット情報に含まれる位置データにて特定される主要地点を目的地点（この例では、駐車場ＦＸ）として設定し、経路探索処理を実行する。そして、システム制御部１８は、当該経路探索処理により探索された目的地点までの推奨経路の経路案内処理を行う。
【０１４６】
また、上記スポット情報選択バー４０１ａがカーソル４１０により選択されている状態で、ユーザＵ２が操作部１７により地点確認ボタン４０１ｆを選択し例えば操作部１７における実行ボタンを押下すると、システム制御部１８は、地点表示処理を開始し、当該選択されたスポット情報に含まれる位置データにて特定される主要地点（座標）を地図データから特定し、当該主要地点の周辺地図画像（例えば当該主要地点を中心として半径所定ｋｍ（例えば、１ｋｍ）以内の地図を含む）を表示部１５上に表示する。更に、当該スポット情報に含まれる主要地点の名称及び住所等を、上記表示された周辺地図画像上における主要地点の対応位置に重畳させて表示するように構成しても良い。
【０１４７】
一方、スポット情報選択バー４０１ｂには、４つのスポット情報（つまり、上述したように、１つの記事が４つのスポット情報に基づく場合のシーン）の夫々の主要地点の名称及び住所が夫々のスポット情報に割り当てられた順序にしたがって表示されており、当該スポット情報選択バー４０１ｂがカーソル４１０により選択されている状態で、ユーザＵ２が操作部１７により目的地設定ボタン４０１ｅを選択し例えば操作部１７における実行ボタンを押下すると、システム制御部１８は、当該選択された４つのスポット情報の夫々に含まれる位置データにて特定される主要地点を夫々に割り当てられた順序にしたがって経由地点又は目的地点（この例では、水族館Ｓ（１番目の経由地点）→動物園Ｚ（２番目の経由地点）→温泉Ｏ（３番目の経由地点）→レストランＬ（最終目的地点）として設定し、経路探索処理を実行する。そして、システム制御部１８は、当該経路探索処理により探索された目的地点（上記経由地点を通過した目的地点）までの推奨経路の経路案内処理を行う。
【０１４８】
また、上記スポット情報選択バー４０１ｂがカーソル４１０により選択されている状態で、ユーザＵ２が操作部１７により地点確認ボタン４０１ｆを選択し例えば操作部１７における実行ボタンを押下すると、システム制御部１８は、地点表示処理を開始し、当該選択されたスポット情報の夫々に含まれる位置データにて特定される主要地点（座標）を地図データから特定し、各スポット情報に割り当てられた順序で夫々の主要地点の周辺地図画像（例えば当該主要地点を中心として半径所定ｋｍ（例えば１ｋｍ）以内の地図を含む）を表示部１５上に順次表示する。更に、それらのスポット情報に含まれる主要地点の名称及び住所等を、上記表示された周辺地図画像上における主要地点の対応位置に重畳させて表示するように構成しても良い。
【０１４９】
なお、スポット情報に対して付加情報、記事本文、記事のタイトル、及び記事に関する写真画像の何れか一つ又は全部が追加されスポット情報のファイルに含まれている場合、上記地点表示処理において、当該付加情報、記事本文、記事のタイトル、及び記事に関する写真画像の何れか一つ又は全部を、上記表示された周辺地図画像上における主要地点の対応位置（座標）に重畳させて表示するように構成すれば、より効果的である。また、スポット情報に対して記事本文が追加されスポット情報のファイルに含まれている場合、上記経路案内処理において、例えば車両が上記選択されたスポット情報に係る主要地点に差し掛かった際に、上記記事本文を表示部１５上に表示したり、当該記事本文を音声出力するように構成すれば、当該ユーザＵ２は例えば他のユーザＵｎの記事本文に係るコメントを確認できるので、より効果的である。
【０１５０】
以上説明したように、上記実施形態によれば、ブログサーバＢＳは、例えばユーザＵ１のナビゲーション装置Ｎ１におけるナビゲーション処理で使用されたスポット情報をプローブサーバＰＳ経由で取得し、当該取得したスポット情報に基づく記事に関する情報をブログデータベース２０１に登録（記憶）しておき、ネットワークＮＷを介して接続されたユーザ端末ＵＴ２からの要求に応じて、ブログデータベース２０１に登録された上記記事に関する情報に基づいてユーザＵ１のブログページを構成する表示用データを作成し、当該作成した表示用データを、ユーザ端末ＵＴ２に対して提供し、当該ユーザ端末ＵＴ２からネットワークＮＷを介して要求があった場合に、当該表示用データに含まれる記事の基になったスポット情報の全部又は一部が含まれるスポット情報のファイルであって、ユーザＵ２のナビゲーション装置Ｎ２におけるナビゲーション処理で使用可能なスポット情報のファイルを作成し、これをユーザ端末ＵＴ２に対して提供するように構成したので、当該スポット情報のファイルをユーザ端末ＵＴ２からナビゲーション装置Ｎ２に転送して、当該ナビゲーション装置Ｎ２が他のナビゲーション装置Ｎ１におけるナビゲーション処理で使用されたスポット情報をより効率良く取得し、有効に活用する（例えば、他のユーザＵｎのお勧めのスポット（地点）をナビゲーション装置Ｎ２が例えば地図上でユーザＵ２に対して提示する等）ことができる。従って、ユーザＵｎ間で、スポット情報を、ブログページを通じてより効率良く共有することができる。
【０１５１】
また、各ユーザＵｎは、自身のナビゲーション装置Ｎｎにおけるナビゲーション処理で使用されたスポット情報に基づく記事が掲載される自身のブログページを簡単に作成（記事作成ページを通じて）して他のユーザＵｎに対して閲覧可能に公開することができ、なおかつ当該ブログページを通じて、他のユーザＵｎのユーザ端末ＵＴｎひいてはナビゲーション装置Ｎｎに対して、当該記事の基になったスポット情報を簡単に提供するこができるので、ユーザＵｎ間でよりスポット情報を効率良く共有することができ、各ユーザＵｎのナビゲーション装置Ｎｎにおいて当該スポット情報を有効に活用することができる。
【０１５２】
また、各ユーザＵｎは、自身のナビゲーション装置Ｎｎにおけるナビゲーション処理で使用されたスポット情報に追加される追加情報を記事作成ページ上で入力し、当該スポット情報及び追加情報に基づく記事が掲載される自身のブログページを簡単に作成して他のユーザＵｎに対して閲覧可能に公開することができ、なおかつ当該ブログページを通じて、他のユーザＵｎのユーザ端末ＵＴｎひいてはナビゲーション装置Ｎｎに対して、当該記事の基になったスポット情報及び追加情報を簡単に提供することができるので、ユーザＵｎ間でよりスポット情報及び追加情報を効率良く共有することができ、各ユーザＵｎのナビゲーション装置Ｎｎにおいて当該スポット情報及び追加情報を有効に活用する（例えば、他のユーザＵｎのお勧めのスポットと共に当該スポットに関する他のユーザＮｎのコメント等をナビゲーション装置Ｎ２が例えば地図上でユーザＵｎに対して提示する等）ことができる。
【０１５３】
また、各ユーザＵｎは、自身のナビゲーション装置Ｎｎにおけるナビゲーション処理で使用された複数のスポット情報に対して順序を割り当ててそれらのスポット情報に基づく記事が掲載される自身のブログページを簡単に作成（記事作成ページを通じて）して他のユーザＵｎに対して閲覧可能に公開することができ、なおかつ当該ブログページを通じて、他のユーザＵｎのユーザ端末ＵＴｎひいてはナビゲーション装置Ｎｎに対して、当該記事の基になった複数のスポット情報及びそれらに割り当てられた順序を示す順序情報を簡単に提供するこができるので、ユーザＵｎ間でよりスポット情報及び順序情報を効率良く共有することができ、各ユーザＵｎのナビゲーション装置Ｎｎにおいて当該スポット情報及び順序情報を有効に活用する（例えば、他のユーザＵｎのお勧めの複数のスポットを通る経路をナビゲーション装置Ｎ２が例えば地図上でユーザＵｎに対して提示する等）ことができる。
【０１５４】
更に、ブログサーバＢＳは、ネットワークＮＷを介して接続されたユーザ端末ＵＴｎから送信された、記事又はスポット情報を検索するための検索条件を示す検索情報を受信した場合に、ブログデータベース２０１に登録されているスポット情報に基づく記事に関する情報を参照して、当該受信された検索情報に示された検索条件を満たす記事又はスポット情報を検索し、当該検索された記事又はスポット情報を示す検索結果情報を、上記検索情報を送信したユーザ端末ＵＴｎに対して提供するように構成したので、各ユーザＵｎは他のユーザＵｎのブログページで公開された、所望の記事及び当該記事の基になったスポット情報を簡単に発見でき、より一層、ユーザＵｎ間で、スポット情報をブログページを通じてより効率良く共有することができる。しかも、スポット情報に追加された、例えば記事のタイトル、記事本文、ジャンル、又はキーワード等の追加情報をも検索対象として、所望のスポット情報を検索することができるので、従来のナビゲーション装置ではできなかった幅広い地点検索を行うことができる。
【０１５５】
（変形例）
なお、上記実施形態における通信端末ＣＴｎの機能をナビゲーション装置Ｎｎが具備するように構成し、当該通信機能を有するナビゲーション装置Ｎｎが、自身のアンテナ、及び移動体通信網を介してプローブサーバＰＳに対してプローブデータを送信するように構成すれば、より効率良くスポット情報をプローブサーバＰＳ送信することができる。
【０１５６】
また、上記実施形態におけるユーザ端末ＵＴｎが有するＷｅｂブラウザ機能をナビゲーション装置Ｎｎが具備するように構成し、ナビゲーション装置Ｎｎが移動体通信網及びネットワークＮＷを介してブログサーバＢＳに接続し、当該ブログサーバＢＳから提供されたブログページ等のＷｅｂページを表示部１５上に表示させるように構成すれば、ナビゲーション装置Ｎｎは、例えば車両の運転者等からの指示にしたがって当該ブログページ上に掲載された記事の基になった最新のスポット情報を迅速に取得することができる。また、この場合、ナビゲーション装置Ｎｎは移動体通信網及びネットワークＮＷを介してブログサーバＢＳに接続し、自車両の現在位置（ＧＰＳ受信部１１で検出された現在位置）から所定距離以内に設置される施設を検索する要求（例えば、図５（Ａ）に示す検索ページ３０３がナビゲーション装置Ｎｎに提供され、当該検索ページ３０３における入力欄３０３ｂｅに自車位置が自動的に入力され、入力欄３０３ｂａに施設名が、入力欄３０３ｂｇに所定距離が、夫々運転者等により入力された後、検索ボタン３０３ｂｊが指定されることによる）をブログサーバＢＳに対して行い、当該ブログサーバＢＳが当該検索を行い、検索された全てのスポット情報を含む検索結果リストデータをナビゲーション装置Ｎｎに提供するように構成すれば、ナビゲーション装置Ｎｎは、より迅速に有益なスポット情報を取得することができる。
【０１５７】
また、上記実施形態におけるユーザ端末ＵＴｎが有するＷｅｂブラウザ機能をナビゲーション装置Ｎｎが具備しなくとも、当該ナビゲーション装置Ｎｎが、自身のアンテナ、及び移動体通信網を介してプローブサーバＰＳとの間で通信できれば、例えばユーザ端末ＵＴ２上に表示されたブログページ３０１におけるダウンロードボタン３０１ｂｆが指定されることによりユーザ端末ＵＴ２がブログサーバＢＳに対してユーザＵ１の記事の基になったスポット情報の提供要求を行った場合に、ブログサーバＢＳは、かかる要求に応じて、当該ユーザＵ１の記事の基になったスポット情報等が含まれるスポット情報のファイルを、当該ユーザ端末ＵＴ２ではなく、ナビゲーション装置Ｎｎに対して提供（送信）するように構成することができる。この場合、例えば、ナビゲーション装置Ｎｎの電源がオンになった場合に、ブログサーバＢＳからスポット情報のファイルが送信される。
【０１５８】
また、上記実施形態においプローブサーバＰＳとブログサーバＢＳとを一つのサーバで実現するように構成しても良い。
【０１５９】
また、上記実施形態においては、ナビゲーション装置Ｎｎを本願の情報処理装置の一例として（言い換えれば、本願の情報処理装置がナビゲーション装置Ｎｎに含まれる）説明したが、例えば本願の情報処理装置を家電製品（例えば冷蔵庫等）等の電子機器に対して適用することも可能であり、この場合、所要情報は、例えば当該電子機器における処理で使用された操作手順を示す情報（例えば所定のスクリプト）等になる。
【０１６０】
また、上記実施形態においては、移動体として車両を例にとって説明したが、これに限定されるものではなく、移動体として、携帯電話機やＰＤＡ等の携帯機器、航空機、又は船舶等に対して適用可能であり、この場合、情報処理装置としてのナビゲーション装置は、携帯機器、航空機、又は船舶等に搭載される。
【図面の簡単な説明】
【０１６１】
【図１】本実施形態に係る情報提供システムの概要構成例を示す図である。
【図２】本実施形態に係るナビゲーション装置Ｎｎの概要構成例を示す図である。
【図３】本実施形態に係るブログサーバＢＳの概要構成例を示す図である。
【図４】ユーザ端末ＵＴ２におけるディスプレイ上に表示されたブログページの表示例を示す図である。
【図５】ユーザ端末ＵＴ２におけるディスプレイ上に表示された検索ページの表示例を示す図である。
【図６】ユーザ端末ＵＴ２におけるディスプレイ上に表示されたスポットリストページ及び記事作成ページの表示例を示す図である。
【図７】ユーザ端末ＵＴ２におけるディスプレイ上に表示されたスポットリストページ及び記事作成ページの表示例を示す図である。
【図８】ユーザ端末ＵＴ２におけるディスプレイ上に表示されたマイクリップリストページの表示例を示す図である。
【図９】ユーザ端末ＵＴ２とブログサーバＢＳとの間の情報のやり取り等を示すシーケンス図である。
【図１０】スポット情報一覧画面４０１の一例を示す図である。
【符号の説明】
【０１６２】
１１  ＧＰＳ受信部
１２  センサ部
１３  交通情報受信部
１４  情報記憶部
１５  表示部
１６  音声出力部
１７  操作部
１８  システム制御部
２１  記憶部
２２  通信部
２３  制御部
１００，２００  プローブデータベース
２０１  ブログデータベース
Ｎｎ  ナビゲーション装置
ＣＴｎ  通信端末
ＵＴｎ  ユーザ端末
ＰＳ  プローブサーバ
ＢＳ  ブログサーバ
Ｓ  情報提供システム
【図１】
2008225889.tif 000003
【図２】
2008225889.tif 000004
【図３】
2008225889.tif 000005
【図４】
2008225889.tif 000006
【図５】
2008225889.tif 000007
【図６】
2008225889.tif 000008
【図７】
2008225889.tif 000009
【図８】
2008225889.tif 000010
【図９】
2008225889.tif 000011
【図１０】
2008225889.tif 000012